(57)【要約】      （修正有）【課題】主、副各円盤部１ａ、２ａの区分円周を、２等区分し、各区分点に、各々、主傾斜台４、副傾斜台５に固定し、その台面上に突出形磁石６を固定し、主、副各円盤部１ａ、２ａ下部に付けた笠歯車３を噛み合わせ軸受で支持し、磁極面を対向させ、吸引力と反発力の回転力で、発電する。【解決手段】主円盤回転車１と副円盤回転車２の主、副各円盤部１ａ、２ａの区分円周ｇを、２等区分し、各区分点ｅに、各々、主傾斜台４、副傾斜台５を固定し、その各台上に、突出形磁石６を固定する。主円盤部１ａの区分点ｅより、副円盤部２ａの区分点ｅを逆回転方向に、磁極面巾ｔと同じ巾ｚずらして、笠歯車３を噛み合わせ、主円盤回転車１と副円盤回転車２の各主軸７を装置容器１１のスラスト軸受１２、ラジアル軸受１３で支持する。突出形磁石６が回転近接する時、反発力と吸引力により回転を得て、区分点ｅが、連続して移動回転し、永久回転する。発電機１９を設け、主軸７と連結し発電する装置。【選択図】図２
2012161231.tif 000002
【特許請求の範囲】
【請求項１】
主円盤回転車と副円盤回転車は、同一直径の主、副各円盤部と、その円盤面中心部の下部をボス部とし、各円盤面中心にあく軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、１５度から５度の間隔で、３０度、まで選択する事ができる。主、副各円盤部面外周より少し内側に、同一直径の区分円周ｇを描き、主に、２区分、３区分、４区分、を等区分とし、区分円周ｇを等区分し各区分点とする。又、磁力を隣区分に悪影響を与えない磁極面巾とすれば、４区分以上の何区分でも等区分する事ができる。主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。傾斜角αは、ｘが、５度の間隔で、１５度から３０度まで、全て、６０度とする。又、副円盤部における区分円周ｇの各区分点より、逆回転方向に、接線ｆを引き、接線ｆを基準として傾斜角βの傾斜線ｊを区分点より引き、又、この傾斜線ｊに対する直角線ｋを区分点より引く。傾斜角βは、ｘが１５度の時、７５度。ｘが２０度の時、傾斜角βは、８０度。ｘが２５度の時、傾斜角βは、８５度。ｘが３０度の時、傾斜角βは、９０度とする。主傾斜台と副傾斜台は、主円盤部面と副円盤部面の各区分点に描いた傾斜線ｊ上と直角線ｋ上に、底面２辺位置として、各々、主、副円盤部面に固定される。主、副各傾斜台の形状は、一体成形であり、分解できないが、分解できるとして説明すると、主、副傾斜台は、各々高さ部分を構成する、平面ブロック台の上に、傾斜部分を構成する傾斜台ブロック部分が重なった形状で、傾斜ブロック部分は、各々、２個の傾斜ブロックが重なった形状である。こうした形状を一体成形した構造である。主、副傾斜台の平面台ブロックは、平面形が矩形であり、高さは約、突出形磁石の磁極面巾にｓｉｎｘを乗じた積の１．２倍程度の高さとする。（ｘ度は、選択したピッチ円錐角ｘの角度）主円盤部面の区分点に、平面台ブロックＡの２辺を、傾斜線ｊ、ｋに合わせ主傾斜台を固定した時、傾斜ブロックＢは、傾斜下端線を直角線ｋ位置とし、又、傾斜側辺下端を傾斜線ｊ位置として上昇傾斜して、平面台ブロックＡ上に重なる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロック台Ｂの傾斜角度は選択したピッチ円錐角ｘと同角度とし、傾斜ブロック台Ｃの傾斜角度は、選択したピッチ円錐角ｘの２分の１とする。又、副円盤部面の区分点に、平面台ブロックＤの２辺を、傾斜線ｊ、ｋに合わせ副傾斜台を固定した時、傾斜ブロックＥは、傾斜下端線を直角線ｋ位置とし、又、傾斜側辺下端を傾斜線ｊ位置として上昇傾斜して、平面台ブロックＤ上に重なる。又、傾斜ブロックＦは、傾斜下端線を傾斜線ｊ位置とし、又、傾斜側辺下端を直角線ｋ位置として上昇傾斜して、傾斜ブロックＥ上に重なる。傾斜ブロックＥの傾斜角度は、選択したピッチ円錐角ｘと同角度とし、傾斜ブロックＦの傾斜角度は、選択したピッチ円���角ｘの２分の１とする。主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極・Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、主傾斜台面上に固定する。又、各々、突出形磁石を固定した時、前磁極面は、各々、区分点の反対側端に、前突出部が突きでる位置とし、後磁極面は、区分点側端に、後突出部が突きでる。突出形磁石の高さは、２区分で、区分円周ｇの半径の３分の１程度を磁極面巾とした時、磁極面巾の３〜４倍程度が最適である。このため、突出形磁石を２〜４段重ねる時、突出形磁石の下面と同じ形の厚さ２〜３ｍｍ程度の接続用鉄板を突出形磁石間に敷き、接着剤で固定する。２区分以上毎にする時は、高さは、多少減じていく。主円盤部の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤部の各区分点の前磁極面の磁極は、主円盤部の各区分点の前磁極が同一のＮ磁極であれば、反対のＳ磁極で配置し、主円盤部の前磁極が各区分点毎にＮ・Ｓ磁極を変えれば、各対応区分点毎に反対の磁極となるようＳ・Ｎ磁極に変える。主円盤部が各区分点毎にＮ・Ｓ磁極をランダムに配置した時、同じ順序でランダムに、反対の磁極となるように磁極を配置する。主円盤部と副傾斜台の主軸に、天盤中心の軸穴に通し、各ボス部に付くボルト等により、各天盤を各主軸に固定する。この各天盤の下部面に連結部を固定し、各枠部で各突出形磁石の上部端は、固定される。連結部９の形状は、各々の主、副傾斜台と、ほぼ、同一形状の一体成形構造である。主円盤部１ａと副円盤部２ａでの枠部は、共に、平面台ブロックＡ、平面台ブロックＤ部周囲に設け部周囲に設ける。以上の構成で、主円盤回転車と副円盤回転車とする。又、主円盤回転車と副円盤回転車は、装置容器の各軸受に、各主軸を支持し、笠歯車を噛み合わせる。噛み合わせ位置は、主円盤部の区分円周ｇの区分点より、逆回転方向に、磁極面巾ｔのと同じ巾ｚで区分し、そこに、印つけ、ｕ点とし、ｕ点を通る中心線に、副円盤部の区分点を通る中心線を、合わせて、笠歯車を噛み合わせる。主円盤回転車の主軸には、装置容器外上部で、ディスクブレーキ装置を付ける。又、装置容器外上部に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定���、発電機軸は、クラッチに接続する。又、副回転笠歯車の天盤の上面に、フライホイールを設ける。こうした構造を特徴とする磁力回転発電装置。
【請求項２】
突出形磁石を超電導電磁石とする時、各天盤上に超電導電磁石のヘリウムガスの再液化用の冷凍機を設ける。冷凍機の電力は、装置容器外から供給するために、主軸に円筒形電通接触面設け、ブラシ保持器を装置容器側の軸受保持部分に付ける。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、等の電源として用いる。
【背景技術】
【０００２】従来、我国の発明家湊弘平氏により、一対の平歯車を噛み合わせ、上に、円盤面を付け、円盤面周囲に磁石を固定し、磁石の反発力によって回転力とし、発電機を回転し、電力を得る磁力発電装置が、１９８７年頃にテレビ等で発表され、永久機関の可能性を示した。１９８７年になると、雑誌に、実用化間近で、回転する装置の写真付きの記事が載っている。しかし、耐久性に問題があったせいか、実用化はされなかった。しかし、その後、回転円盤面に配置した磁石と、固定した電磁石による磁力発電装置を発明し、４０か国以上の国際特許を得ている。他に、米国の発明家トロイ・リード氏の磁力発電装置がある。これは、実用として完成されていて、かなりの発電量がある。しかし、装置が大型で複雑であり、耐久性も未知数である。
【発明の開示】
【発明が解決しょうとする課題】
【０００３】主円盤回転車と副円盤回転車は、笠歯車で噛み合わせ、各円盤面の外周囲を２区分、又は、３区分、４区分で等区分とし、その各位置に磁石数を配置固定する為、構造がシンプルであり、超小型装置や、逆に、超大型装置が可能であり、永久磁石のみだけではなく、超電導電磁石を用いて、大電力を得る事ができる構造とする。回転原理に無理がなく、高精度にする事無く回転が可能の為、耐久性のある構造とする。対向する磁石の吸引力と、反発力の全てを回転力に転換する回転原理として、強力回転力とする。
【課題を解決するための手段】
【０００４】主円盤回転車と副円盤回転車は、同一直径の主、副各円盤部と、その円盤面中心部の下部をボス部とし、各円盤面中心にあく軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、１５度から５度の間隔で、２０度、２５度、３０度、まで選択する事ができる。主、副各円盤部面外周より少し内側に、同一直径の区分円周ｇを描き、主に、２区分、３区分、４区分、を等区分とし、区分円周ｇを等区分し各区分点とする。又、磁力を隣区分に悪影響を与えない磁極面巾とすれば、４区分以上の何区分でも等区分する事ができる。
【０００５】主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。傾斜角αは、ｘが、５度の間隔で、１５度から３０度まで、全て、６０度とする。
【０００６】又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。傾斜角βは、ｘが１５度の時、７５度。ｘが２０度の時、傾斜角βは、８０度。ｘが２５度の時、傾斜角βは、８５度。ｘが３０度の時、傾斜角βは、９０度とする。
【０００７】主傾斜台と副傾斜台は、主円盤部面と副円盤部面の各区分点に描いた傾斜線ｊ上と直角線ｋ上に、底面２辺位置として、各々、主、副各円盤部面に固定される。主傾斜台と副傾斜台の形状は、一体成形であり、分解できないが、分解できるとして説明すると、まず、主、副傾斜台は、各々、高さ部分を構成する、平面台ブロックの上に、傾斜部分を構成する傾斜台ブロック部分が重なった形状で、傾斜ブロック部分は、各々、２個の傾斜ブロックが重なった形状である。こうした形状を一体成形した構造である。平面台ブロックは、平面形が矩形であり、高さは、約、突出形磁石の磁極面巾にｓｉｎｘを乗じた積の１．２倍程度の高さとする。
【０００８】主円盤部面の区分点に、平面台ブロックＡの２辺を、傾斜線ｊ、ｋに合わせ主傾斜台を固定した時、傾斜ブロックＢは、傾斜下端線を直角線ｋ位置とし、又、傾斜側辺下端を傾斜線ｊ位置として上昇傾斜して、平面台ブロックＡ上に重なる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロック台Ｂの傾斜角度は、選択したピッチ円錐角ｘと同角度とし、傾斜ブロック台Ｃの傾斜角度は、選択したピッチ円錐角ｘの２分の１とする。
【０００９】又、副円盤部面の区分点に、平面台ブロックＤの２辺を、傾斜線ｊ、ｋに合わせ副傾斜台を固定した時、傾斜ブロックＥは、傾斜下端線を直角線ｋ位置とし、又、傾斜側辺下端を傾斜線ｊ位置として上昇傾斜して、平面台ブロックＤ上に重なる。又、傾斜ブロックＦは、傾斜下端線を傾斜線ｊ位置とし、又、傾斜側辺下端を直角線ｋ位置として上昇傾斜して、傾斜ブロックＥ上に重なる。傾斜ブロックＥの傾斜角度は、選択したピッチ円錐角ｘと同角度とし、傾斜ブロックＦの傾斜角度は、選択したピッチ円錐角ｘの２分の１とする。
【００１０】主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極・Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端傾斜線ｊを位置とし、又、磁極面間方向側面下端を直角線ｋ位置として、各々、傾斜台面上に固定する。又、突出形磁石を固定した時、前磁極面は、各々、区分点の反対側端に、前突出部が突きでる位置とし、後磁極面は、区分点側端に、後突出部が突きでる。
【００１１】突出形磁石の高さは、２区分で、区分円周ｇの半径の３分の１程度を磁極面巾とした時、磁極面巾の３〜４倍程度が最適である。突出形磁石を３〜４段重ねる時、厚さ２〜３ｍｍ程度で、突出形磁石の下面と同じ形の接続用鉄板を突出形磁石間に敷き、接着剤で固定する。２区分以上する時、増す毎に、高さは、多少減ずる。
【００１２】主円盤部の各区分点の前磁極面の磁極は、同一磁極、又は、各区分点毎に、Ｎ・Ｓ磁極を変える配置でも良い。又、  Ｎ・Ｓ磁極をランダムに配置しても良い。又、副円盤部の各区分点の前磁極面の磁極は、主円盤部の各区分点の前磁極が同一のＮ磁極であれば、反対のＳ磁極で配置し、主円盤部の前磁極が各区分点毎にＮ・Ｓ磁極を変えれば、各対応区分点毎に反対の磁極となるよう  Ｓ・Ｎ磁極に変える。主円盤部が各区分点毎にＮ・Ｓ磁極をランダムに配置した時、同じ順序でランダムに、反対の磁極として磁極を配置する
【００１３】主円盤部と副傾斜台の主軸に、天盤中心の軸穴に通し、各ボス部に付くボルト等により、各天盤を各主軸に固定する。この各天盤の下部面に連結部を固定し、各枠部で各突出形磁石の上部端は、固定される。主円盤部１ａと副円盤部２ａの連結部９の形状は、各々の主、副傾斜台と、ほぼ、同一形状の一体成形構造である。主円盤部１ａと副円盤部２ａでの枠部は、共に、平面台ブロックＡ、平面台ブロックＤ部周囲に設ける。
【００１４】以上の構成で、主円盤回転車と副円盤回転車とする。又、主円盤回転車と副円盤回転車は、装置容器の各軸受に、各主軸を支持し、笠歯車を噛み合わせる。噛み合わせ位置は、主円盤部の区分円周ｇの区分点より、逆回転方向に、磁極面巾ｔと同じ巾ｚで区分し、そこに、印つけ、ｕ点とし、ｕ点を通る中心線に、副円盤部の区分点を通る中心線を、合わせて、笠歯車を噛み合わせる。主円盤回転車の主軸には、装置容器外上部で、ディスクブレーキ装置を付ける。又、装置容器外上部に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し、発電機軸は、クラッチに接続する。又、副回転笠歯車の天盤の上面に、フライホイールを設ける。こうした構造を特徴とする磁力回転発電装置。
【００１５】突出形磁石を超電導電磁石とする時、各天盤上に超電導電磁石のヘリウムガスの再液化用の冷凍機を設ける。冷凍機の電力は、装置容器外から供給するために、主軸に円筒形電通接触面設け、ブラシ保持器を装置容器側の軸受保持部分に付ける。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【発明を実施するための最良の形態】
【００１６】以下、本発明の実施の形態を図面に基づき詳細に説明する。【００１７】図１〜図１２は本発明の第１の実施の形態に係る図である。図１〜図３にあるように、主円盤回転車１と副円盤回転車２は、同一直径の主、副各円盤部１ａ、２ａと、その円盤面中心部の下部をボス部とし、各円盤面中心にあく軸穴に主軸を通し、ボルト等により固定する。又主、副各円盤部１ａ、２ａ外周部下部に、円盤部直径より、少し、大きめで同一直径、同一歯数とした、笠歯車３を円盤部外周下部面にボルト等で固定する。笠歯車３のピッチ円錐角は、１５度とする。笠歯車３の歯数は、区分円周ｇの半径が６ｃｍの時、６０歯程度割合の歯間ピッチとする。主、副各円盤部面１ａ、２ａ外周より少し内側に、同一直径の区分円周ｇを描き、２区分で等区分する。【００１８】主円盤部１ａ面は、区分円周ｇの各区分点ｅより、回転方向に、接線ｆを引く。接線ｆを基準として傾斜角αの傾斜線ｊを区分点より引き、又、この傾斜線ｊに対する直角線ｋを区分点より引く。笠歯車３のピッチ円錐角ｘが１５度の時、傾斜角αは、６０度とする。【００１９】副円盤部面２ａは、区分円周ｇの各区分点ｅより、逆回転方向に、接線ｆを引く。接線ｆを基準として傾斜角βの傾斜線ｊを区分点より引き、又、この傾斜線ｊに対する直角線ｋを区分点より引く。笠歯車のピッチ円錐角ｘが１５度の時、傾斜角βは、７５度とする。【００２０】図４〜７にあるように、主、副各傾斜台４，５は、主円盤部１ａ面と副円盤部２ａ面の各区分点に描いた傾斜線ｊ上と直角線ｋ上に、底面２辺位置として、各々、主、副円盤部面１ａ，２ａに固定される。主傾斜台４と副傾斜台５の形状は、一体成形であり、分解できないが、分解できるとして説明すると、主、副傾斜台４、５は、各々高さ部分を構成する、平面台ブロック台の上に、傾斜部分を構成する傾斜台ブロック部分が重なった形状で、傾斜ブロック部分は、２個の傾斜ブロックが重なった形状である。こうした形状を一体成形した構造である。主、副各傾斜台４，５の平面台ブロック台Ａ、Ｄは、平面形が矩形であり、高さｈは、約、突出形磁石の磁極面巾にｓｉｎｘを乗じた積の１．２倍程度の高さとする。【００２１】主円盤部面１ａの区分点ｅに、平面台ブロックＡの２辺を、傾斜線ｊ、ｋに合わせ主傾斜台を固定した時、主傾斜台４を固定した時、傾斜ブロックＢは、傾斜下端線を直角線ｋ位置とし、又、傾斜側辺下端を傾斜線ｊ位置として上昇傾斜して、平面台ブロックＡ上に重なる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロックＢの傾斜角度ｘ１は、選択したピッチ円錐角ｘと同角度１５度とする。傾斜ブロックＣの傾斜角度ｙは、選択したピッチ円錐角ｘの２分の１で、７．５度とする。【００２２】又、副円盤部２ａ面の区分点ｅに、平面台ブロックＤの２辺を、傾斜線ｊ、ｋに合わせ主傾斜台を固定した時、副傾斜台５を固定した時、傾斜ブロックＥは、傾斜下端線を直角線ｋ位置とし、又、傾斜側辺下端を傾斜線ｊ位置として上昇傾斜して、平面台ブロックＤ上に重なる。又、傾斜ブロックＦは、傾斜下端線を傾斜線ｊ位置とし、又、傾斜側辺下端を直角線ｋ���置として上昇傾斜して、傾斜ブロックＥ上に重なる。傾斜ブロックＥの傾斜角度ｘ１は、選択したピッチ円錐角ｘと同角度の１５度とし、傾斜ブロックＦの傾斜角度ｙは、選択したピッチ円錐角ｘの２分の１、で７．５度とする。【００２３】主、副各円盤部１ａ、２ａ面の各傾斜台４、５の台面上に、突出形磁石６を固定する。突出形磁石６の磁極面は、矩形とし、突出部６ａを含む磁極面巾は、（磁力が１テスラ程度までの時）区分数が２区分の時、区分円周ｇ半径の約２分の１から４分の１程度までより、選択できる。２区分以上の時、区分数を増やす毎に、磁極面巾を多少減じていく。【００２４】図８〜１２にあるように、突出形磁石６の本体磁石形状は、磁極面間方向の長さｍ寸法は、磁極面巾ｔと同一寸法とする。突出形磁石６のＮ極・Ｓ極磁極面の互いの逆位置端に前突出部６ａ、後突出部６ｂが付く。突出部６ａ、６ｂの巾ａは、磁極面巾の３分の１とし、突出長ｂさは、突出形磁石６の磁極面巾の２分の１とする。本発明に於ては、主円盤部１ａ面と副円盤部２ａ面における主、副各傾斜台４、５上に、突出形磁石６を固定した時、区分点ｅ位置の磁極面を前磁極面と称し、反対側の磁極面を後磁極面と称する。主円盤部１ａと副円盤部２ａにおける、突出形磁石６は、共に、前磁極面下端を傾斜線ｊ位置とし、又、磁極面間方向側面下端を直角線ｋ位置として、主傾斜台１ａ、台面上に固定する。又、この時、共に、前磁極面には、区分点ｅの反対側端に、前突出部６ａが突きだし、後磁極面には、区分点ｅ側端に、後突出部６ｂが突きでる。【００２５】突出形磁石６の高さｈは、２区分の時、区分円周ｇの半径の３分の１程度を磁極面巾とした時、磁極面巾の３〜４倍程度が最適である。図１１〜１２のように、突出形磁石６を３〜４段重ねる時、突出形磁石６の下面と同じ形の厚さ２〜３ｍｍ程度の接続用鉄板１０を突出形磁石６間に敷き、接着剤等で固定する。接続用鉄板１０の両側に枠部を設けて接着剤と併用して接続しても良い。接続用鉄板１０を付けると、同極間の反発が少なくなり、接続し易くなり磁場の流れも良くなり回転性が増す。２区分以上する時は、増やす毎に、突出形磁石６の高さｈは、多少減  じていく。【００２６】主円盤部１ａの各区分点ｅの前磁極面の磁極は、同一磁極、又は、各区分点毎に、Ｎ・Ｓ磁極を変える配置でも良い。又、Ｎ・Ｓ磁極をランダムに配置しても良い。又、副円盤部２ａの各区分点ｅの前磁極面の磁極は、主円盤部１ａの各区分点ｅの前磁極が同一Ｎ磁極であれば、反対のＳ磁極で配置し、主円盤部１ａの前磁極が各区分点ｅ毎にＮ・Ｓ磁極を変えれば、各対応区分点ｅ毎に反対の磁極となるよう  Ｓ・Ｎ磁極にを変える。主円盤部１ａが各区分点毎にＮ・Ｓ磁極をランダムに配置した時、同じ順序でランダムに、反対の磁極となるように磁極を配置する。【００２７】突出形磁石６上端の固定は、天盤８中心にあく軸穴に、各主軸７に通し、各ボス部のボルトにより、各天盤８を各主軸７に固定する。この各天盤８の下部面に連結部９を固定し、主傾斜台４と、副傾斜台５上に固定された各突出形磁石６は、連結部９で固定される。主円盤部１ａと副円盤部２ａの連結部９の形状は、図１０にあるように、各々の主、副傾斜台とほぼ、同一形状の一体成形構造である。主円盤部１ａと副円盤部２ａでの枠部は、共に、平面台ブロックＡ、平面台ブロックＤ部周囲に設ける。又、突出形磁石は、傾斜して上方向に伸びるため位置がずれる為、天盤に面する傾斜ブロックＣ、傾斜ブロックＦは多少修正しなければならない。超電導電磁石を用いた突出形磁石６の場合、枠部９ａは、ボルト穴の付いたフランジとする。又、主傾斜台４と副傾斜台５にも枠部又はフランジが付くのであるが図において省略している。【００２８】以上の構成で、主円盤回転車１と副円盤回転車２とする。又、主円盤回転車１と副円盤回転車２は、装置容器１１の各軸受に、各主軸７を支持し、笠歯車３を噛み合わせる。図１のように、噛み合わせ位置は、主円盤部の区分円周ｇの区分点より、逆回転方向に、磁極面巾ｔと同じ巾ｚで区分し、そこに、印つけ、ｕ点とし、ｕ点を通る中心線に、副円盤部２ａの区分点を通る中心線を合わせて、笠歯車を噛み合わせる。主円盤回転車１の主軸７には、装置容器１１外上部で、ディスクブレーキ装置１４を付ける。又、装置容器１１外上部に、基礎取り付け台１６を固定し、その台上に、クラッチ１７を固定する。ディスクブレーキ装置１４を出た主軸７に、軸継手１５を接続し、軸継手１５を出た軸は、クラッチ１７に接続する。基礎取り付け台１６上に、更に、発電機取り付け台１８を固定し、台上に、発電機１９を固定し、発電機軸は、クラッチ１７に接続する。副回転笠歯車２の天盤８の上面に、フライホイール２１を設ける。【００２９】装置を起動する時は、クラッチ１７を切った状態で、ディスクブレーキ１４のロックを切ると、主円盤回転車１と副円盤回転車２は、ゆっくりと謡動を始め、回転に移行する。回転数が上がった時点で、クラッチ１７を入れると発電を開始する。装置を停止する時は、クラッチ１７を切って、ディスクブレーキ１４をかければ停止し、長期間停止の時、ロック装置をかける。こうした構造を特徴とする磁力回転発電装置。【００３０】図１３は、突出形磁石６を超電導電磁石とした、本発明の第２の実施の形態に係る図である。本発明の第１の実施の形態における図２と同じ位置の断面立面図である。【００３１】主円盤回転車１と副円盤回転車２の笠歯車３のピッチ円錐角ｘは、１５度であり、区分円周ｇ２区分数で等区分し、各区分点ｅとする。主円盤部２ａの各区分点より回転方向に、接線ｆを引き、接線ｆを基準として、傾斜角αは６０度で傾斜線ｊを区分点より引き、又この傾斜線ｊに対する直角線ｋを区分点より引き、描く。又、副円盤部２ａの各区分点ｅより、逆回転方向に、接線ｆを引き、接線ｆを基準として、傾斜角βは７５度で、傾斜線ｊを区分点より引き、又、この傾斜線ｊに対する直角線ｋを区分点より引き、描く。【００３２】突出形磁石６は、超電導電磁石とし、主、副傾斜台４、５にボルト等で固定する。突出形磁石６上部に、連結部９を付け、天盤８固定に固定する。天盤８上部面に、冷凍機２２を設ける。冷凍機２２と超電導電磁石は、配管により接続する。冷凍機２２の電力は、装置容器１１外から供給するために、主軸７に円筒形電通接触面２３を設け、プラス側ブラシ保持器２４のブラシに接する。マイナス側ブラシ保持器２５は、装置容器１１側の主軸７端部分に��ける。マイナス側ブラシ保持器２５に接する小径の軸は、銅製とし、主軸端面にボルトにより固定する。冷凍機２２が遠心力によって悪影響を避けるために、発電機１９に、変速機２０を設ける。フライホィール２１は、装置容器１１外の主軸７に設ける。こうした構造を特徴とする請求項１記載の磁力回転発電装置。【００３３】図１４〜図１５は、笠歯車３のピッチ円錐角ｘを３０度とし、区分数を３区分とした本発明の第３の実施の形態に係る図である。【００３４】主円盤部２ａの各区分点ｅより回転方向に、接線ｆを引き、接線ｆを基準として、傾斜角αは、６０度で傾斜線ｊを区分点より引き、又この傾斜線ｊに対する直角線ｋを区分点より引き、描く。又、副円盤部２ａの各区分点ｅより、逆回転方向に、接線ｆを引き、接線ｆを基準として、傾斜角βは９０度で、傾斜線ｊを区分点より引き、又、この傾斜線ｊに対する直角線ｋを区分点より引き、描く。図４〜７のように、主傾斜台４の傾斜ブロックＢの傾斜角度ｘ１は選択したピッチ円錐角ｘと同角度で、３０度とする。傾斜ブロックＣの傾斜角度ｙは、選択したピッチ円錐角ｘの２分の１で、１５度とする。副傾斜台５の傾斜ブロックＥの傾斜角度ｘ１は、選択したピッチ円錐角ｘと同角度の３０度とする。傾斜ブロックＦの傾斜角度ｙは、選択したピッチ円錐角ｘの２分の１で、１５度とする。こうした構造を特徴とする請求項１記載の磁力回転発電装置。【００３５】図１６〜図１９は、本発明の第１の実施の回転原理の説明図であり、図１と同じ位置による図である。ピッチ円錐角ｘの角度は、１５度である。【００３６】図１６は、主円盤部１ａにおける、主突出形磁石６（Ａ）の区分点が、共通中心線０−０の最接近点より、中心角で、４５度手前に位置する図である。この時、主円盤部１ａにおける、突出形磁石６（Ａ）の前磁極面前のＮ極と、副円盤部２ａにおける、突出形磁石６（Ｃ）Ｓ極に、吸引力が、作用し、突出形磁石６（Ｃ）にＰ１の回転力が作用する。突出形磁石（Ａ）の前突出部６ａと、突出形磁石６（Ｃ）の後突出部６ａＮ極の反発力により、突出形磁石６（Ａ）にかかる逆回転力を消去する。Ｐ１の回転力は、図１８の位置まで回転を持続する。【００３７】図１７は、主円盤部１ａにおける、突出形磁石６（Ａ）の区分点が、共通中心線０−０の最接近点より、中心角で、１５度手前に位置の図である。この位置では、突出形磁石６（Ａ）の後突出部６ｂのＳ極と、突出形磁石６（Ｃ）後突出部６ａのＮ極の吸引力により突出形磁石６（Ａ）に回転力Ｐ２が作用する。この時、突出形磁石６（Ａ）の前磁極面のＮ極と突出形磁石６（Ｃ）の後突出部６ａＮ極との反発力によりに、突出形磁石６（Ａ）に逆回転力が作用するが、突出形磁石６（Ｃ）に回転力が作用するため、突出形磁石６（Ａ）にかかる逆回転力は、相殺する。回転力Ｐ１は、回転力Ｐ２と共に、図１８位置まで回転する。【００３８】図１８は、主円盤部１ａにおける、突出形磁石５（Ａ）の区分点が、共通中心線０−０の最接近点より、中心角で、３０通過した位置の図である。前図の回転力Ｐ１と前図のＰ２は、回転力をこの位置で消滅する。次に、この位置では、突出形磁石６（Ａ）の後突出部６ｂのＳ磁極と、突出形磁石６（Ｃ）の前磁極面のＳ極���の反発力により、回転力Ｐ３が突出形磁石６（Ｃ）に作用する。回転力Ｐ３により図１９位置まで回転する。【００３９】図１９は、主円盤部１ａにおける、突出形磁石６（Ａ）の区分点が、共通中心線０−０の最接近点より、中心角で、４５度通過した位置の図である。図１６で生じたＰ３は、持続している。この位置で、突出形磁石６（Ａ）の後突出部６ｂのＳ極と、突出形磁石６（Ｃ）の前突出部６ａのＳ極との反発力で突出形磁石６（Ａ）にＰ４の回転力が作用する。又、突出形磁石６（Ｃ）にも回転力Ｐ５が作用する。回転力Ｐ３、回転力Ｐ４、回転力Ｐ５は、共に、主円盤部１ａにおける突出形磁石６（Ａ）の区分点が、０−０の最接近点より、中心角で９０度通過した位置まで作用する。これが主円盤部１ａにおける突出形磁石６（Ａ）の１区分点間の１サイクルの作動であり、これにより、次の区分点の突出形磁石６（Ｂ）は、図１５の始めの位置となり、１円周区分のサイクルを終えると、又、元の突出形磁石６（Ａ）となり、次々と持続するため半永久的回転となる。これは、突出形磁石６の形状と、この発明構成により回転を得る。従って、エネルギー保存法則とは、無関係である。この回転原理は、ピッチ円錐角ｘが２０度〜３０度でも同じとする
【産業上の利用可能性】
【００４０】超電導電磁石による大電力発電が可能となり、長距離送電設備も必要なく都市部に、少スペース、安全で、自然に優しい発電設備を設ける事ができる。超電導電磁石の強力発電と軽量化により、蓄電器と組み合わせ、２系統で交互に切り替える事により、半永久無充電による電動機によるプロペラ回転による大型航空機、又、電気自動車、ロボットの電源とし、半永久的無充電が可能となる。
【図面の簡単な説明】
【００４１】
【図１】図１は発明本体図２のＢ−Ｂ線方向の主円盤回転車１部分断面と、Ｃ−Ｃ線方向の副円盤回転車２部分の断面であり、各々、突出形磁石６下端面部分を透視し、合成した断面透視平面図。（但し、磁石底面は、傾斜台上に位置する為、位置が変化するが、多少である為省略し、平面にあるとして描いている）
【図２】図２は、発明本体図１のＡ−Ａ線方向の断面立面図。
【図３】図３は、発明本体図２のＤ−Ｄ線方向の断面側面図である。
【図４】図４は、区分点位置における主傾斜台４の斜視図
【図５】図５は、主傾斜台４を各ブロックに分解した時の斜視図。
【００４２】
【図６】図６は、区分点位置における副傾斜台５の斜視図
【図７】図７は、副傾斜台５を各ブロックに分解した時の斜視図。
【図８】図８は、主円盤部部１ａの区分点位置の主傾斜台４に、突出形磁石６を固定した斜視図
【図９】図９は、副主円盤部２ａの区分点位置の副傾斜台５に、突出形磁石６を固定した斜視図
【図１０】図１０は、突出形磁石６の斜視図。
【図１１】図１１は、接続用鉄板１０の斜視図。
【図１２】図１２は主円盤部１ａにおける連結部９の斜視図である。
【図１３】図１３は、笠歯車３のピッチ円錐角ｘを１５度とし、突出形磁石６を超電導電磁石とした、本発明の第２の実施の形態に係る図であり、本発明の図２と同じ位置による断面立面図である。
【００４３】
【図１４】図１４〜１５は、笠歯車３のピッチ円錐角ｘを３０度とし、区分数を３区分とした本発明の第３の実施の形態に係る発明本体図であり、図１４は、図１５のＢ−Ｂ線方向の主円盤回転車１部分断面と、Ｃ−Ｃ線方向の副円盤回転２車部分の断面であり、各々、突出形磁石６下端面部分を透視し、合成した断面透視平面図。（但し、磁石底面は、傾斜台上に位置する為、位置が変化するが、多少である為、省略し、平面にあるとして描いている）
【図１５】図１５は、図１４のＡ−Ａ線方向断面立面である。
【図１６】図１６は、本発明の第１の実施形態の回転原理の説明図であり、図１と同じ位置による平面図図であり、主突出形磁石６（Ａ）の区分点が、共通中心線０−０の最接近点より、中心角で４５度手前位置の図である。
【図１７】図１７は、図１６より回転し、主突出形磁石６（Ａ）の区分点が、共通中心線０−０の最接近点より、中心角で１５度手前位置の図である。
【図１８】図１８は、図１７より回転し、主突出形磁石６（Ａ）の区分点が、共通中心線０−０の最接近点より、中心角  で３０度通過した位置の図である。
【図１９】図１９は、図１７より回転し、主突出形磁石６（Ａ）の区分点が、共通中心線０−０の最接近点より、中心角  で４５度通過した位置の図である。
【符号の説明】
【００４４】１            主円盤回転車
１ａ          主円盤部
２            副円盤回転車
２ａ          副円盤部
３            笠歯車
４            主傾斜台
４−Ａ        平面台ブロック
４−Ｂ        傾斜ブロック
４−Ｃ        傾斜ブロック
５            副傾斜台
５−Ｄ        平面台ブロック
５−Ｅ        傾斜ブロック
５−Ｆ        傾斜ブロック
６            突出形磁石
６ａ          前突出部
６ｂ          後突出部
７            主軸
８            天盤
８ａ          枠部
９            連結部
１０          接続用鉄板
１１          装置容器
１２          スラスト軸受
１３          ラジアル軸受
１４          ディスクブレーキ
１５          軸継手
１６          基礎取り付け台
１７          クラッチ
１８          発電機取り付け台
１９          発電機
２０          変速機
２１          フライホィール
２２          冷凍機
２３          円筒形電通接触面
２４          プラス側ブラシ保持器
２５          マイナス側ブラシ保持器
【図１】
2012161231.tif 000003
【図２】
2012161231.tif 000004
【図３】
2012161231.tif 000005
【図４】
2012161231.tif 000006
【図５】
2012161231.tif 000007
【図６】
2012161231.tif 000008
【図７】
2012161231.tif 000009
【図８】
2012161231.tif 000010
【図９】
2012161231.tif 000011
【図１０】
2012161231.tif 000012
【図１１】
2012161231.tif 000013
【図１２】
2012161231.tif 000014
【図１３】
2012161231.tif 000015
【図１４】
2012161231.tif 000016
【図１５】
2012161231.tif 000017
【図１６】
2012161231.tif 000018
【図１７】
2012161231.tif 000019
【図１８】
2012161231.tif 000020
【図１９】
2012161231.tif 000021
【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
主円盤回転車と副円盤回転車は、同一直径の主、副各円盤部と、その円盤面中心部の下部をボス部とし、各円盤面中心に開く軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、５度又は、２，５度の間隔で、４５度から１５度まで選択する事ができる。主、副各円盤部面外周より少し内側に、同一直径の区分円周ｇを描き、主に、２区分、３区分、４区分より選択して、区分円周ｇを等区分し各区分点とする。又、磁力を隣区分に悪影響を与えない磁極面巾とすれば、４区分以上の何区分でも等区分する事ができる。主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。５度又は、２．５度の間隔で、ｘが４５度から１５度まで、傾斜角αは、全て、９０度とする。又、副円盤部における区分円周ｇの各区分点より、回転方向に、接線ｆを引き、接線ｆを基準として傾斜角βの傾斜線ｊを区分点より引き、又、この傾斜線ｊに対する直角線ｋを区分点より引く。ｘが４５度の時、傾斜角βは、６０度とし、５度又は、２．５度間隔で、４５度よりθ度減じたｘを選択した時、その傾斜角βは、ｘ＝４５時のβ＝６０にθを加えた角度とする。式ではβ＝６０＋θ度となる。主傾斜台と副傾斜台は、主円盤部面と副円盤部面の各区分点に描いた傾斜線ｊ上と直角線ｋ上に、底面２辺位置として、各々、主、副円盤部面に固定される。主、副各傾斜台の形状は、一体成形であり、分解できないが、分解できるとして説明すると、主、副傾斜台は、各々高さ部分を構成する、平面ブロック台の上に、傾斜部分を構成する傾斜台ブロック部分が重なった形状で、傾斜ブロック部分は、各々、２個の傾斜ブロックが重なった形状で、一体成形した構造である。主、副各傾斜台の平面台ブロックは、平面形が矩形であり、高さは約、突出形磁石の磁極面巾にｓｉｎｘを乗じた積の１．２倍程度の高さとする。（ｘ度は、選択したピッチ円錐角ｘの角度）主円盤部面区分点の傾斜線ｊ、ｋに平面台ブロックＡの２辺を合わせ、主傾斜台を固定した時、傾斜ブロックＢは、傾斜下端線を傾斜線ｊ位置とし、又、傾斜側辺下端を直角線ｋ位置として上昇傾斜して、平面台ブロックＡ上に重なる。又、傾斜ブロックＣは、傾斜下端線を直角線ｋ位置とし、又、傾斜側辺下端を傾斜線ｊ位置として上昇傾斜して、傾斜ブロックＢ上に重なる。傾斜ブロックＢの傾斜角度は、選択したピッチ円錐角ｘと同角度とする。傾斜ブロックＣの傾斜角度は、選択したピッチ円錐角ｘの２分の１とする。又、副円盤部面区分点の傾斜線ｊ、ｋに平面台ブロックＤの２辺を合わせ、副傾斜台を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を傾斜線ｊ位置とし、又、傾斜側辺下端を直角線ｋ位置として上昇傾斜して、傾斜ブロックＥ上に重なる。傾斜ブロックＥの傾斜角度は、選択したピッチ円錐角ｘと同角度とし、傾斜ブロッ���Ｆの傾斜角度は、選択したピッチ円錐角ｘの２分の１とする。主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極・Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、突出形磁石の前磁極面における前突出部位置は、主円盤部においては、区分点側端に、突き出し、副円盤部においては、区分点の反対側端に突きでる。突出形磁石の高さは、２区分で、区分円周ｇの半径の３分の１程度を磁極面巾とした時、磁極面巾の３〜４倍程度が最適である。このため、突出形磁石を２〜４段重ねる時、突出形磁石の下面と同じ形の厚さ２〜３ｍｍ程度の接続用鉄板を突出形磁石間に敷き、接着剤等で固定する。２区分以上にする時は、高さは、増やす毎に、適当に減じていく。主円盤部の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤部の各区分点対応の前磁極面の磁極は、主円盤部の前磁極面と同一磁極とする。主、副各円盤部の各主軸に、天盤支柱の中空穴を通し、次に、天盤の軸穴を主軸に通してから、天盤支柱両端のフランジ部を主、副各円盤部と、天盤下面にタッピングネジ等で固定する。各天盤の下部面に連結部を固定し、各枠部で各突出形磁石の上部端は、固定される。連結部の形状は、各々の主、副傾斜台と、ほぼ、同一形状の一体成形構造である。主円盤部と副円盤部での枠部は、共に、平面台ブロックＡ、平面台ブロックＤ部周囲に設ける。尚、超電導電磁石の場合はボルト穴付のフランジとする。以上の構成で、主円盤回転車と副円盤回転車とする。又、主円盤回転車と副円盤回転車は、装置容器の各軸受により、各主軸を支持し、笠歯車を噛み合わせる。噛み合わせ位置は、主円盤部の区分円周ｇの区分点ｅより、突出形磁石の磁極面巾の２分の１巾ｚを逆回転方向に区分し、その位置をｕとし、ｕを通る中心線に、副円盤部の区分点ｅを通る中心線を、合わせて、笠歯車３を噛み合わせる。主円盤回転車の主軸には、装置容器外上部で、ディスクブレーキ装置を付ける。又、装置容器外上部に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し、発電機軸は、クラッチに接続する。又、副円盤回転車の天盤の上面に、フライホイールを設ける。こうした構造を特徴の���力回転発電装置。
【請求項２】
突出形磁石を超電導電磁石とする時、各天盤上に超電導電磁石のヘリウムガスの再液化用の冷凍機を設ける。冷凍機の電力は、装置容器外から供給するために、主軸に円筒形電通接触面設け、ブラシ保持器を装置容器側の軸受保持部分に付ける。冷凍機の性能が、遠心力により、影響を与える時は、発電機とクラッチの間に、変速機を設けて主、副各円盤回転車の回転を下げる。こうした構造の請求項１記載の磁力回転発電装置。
【手続補正２】
【補正対象書類名】明細書
【補正対象項目名】０００４
【補正方法】変更
【補正の内容】
【０００４】主円盤回転車と副円盤回転車は、同一直径の主、副各円盤部と、その円盤面中心部の下部をボス部とし、各円盤面中心にあく軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、５度又は、２，５度の間隔で、４５度から１５度まで選択する事ができる。主、副各円盤部面外周より少し内側に、同一直径の区分円周ｇを描き、主に、２区分、３区分、４区分より選択して、区分円周ｇを等区分し各区分点とする。又、磁力を隣区分に悪影響を与えない磁極面巾とすれば、４区分以上の何区分でも等区分する事ができる。
【手続補正３】
【補正対象書類名】明細書
【補正対象項目名】０００５
【補正方法】変更
【補正の内容】
【０００５】主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。４５度から１５度までより、５度、又は、２．５度の間隔で、ｘを選択した時、傾斜角αは、全て、９０度とする。
【手続補正４】
【補正対象書類名】明細書
【補正対象項目名】０００６
【補正方法】変更
【補正の内容】
【０００６】又、副円盤部における区分円周ｇの各区分点より、回転方向に、接線ｆを引き、接線ｆを基準として傾斜角βの傾斜線ｊを区分点より引く。又、この傾斜線ｊに対する直角線ｋを区分点より引く。ｘが４５度の時、傾斜角βは、６０度とし、５度、又は２．５度間隔で、、４５度よりθ度減じたｘを選択した時、その傾斜角βは、ｘ＝４５時のβ＝６０にθを加えた角度とする。式ではβ＝６０＋θ度となる。
【手続補正５】
【補正対象書類名】明細書
【補正対象項目名】０００８
【補正方法】変更
【補正の内容】
【０００８】主円盤部面区分点の傾斜線ｊ、ｋに平面台ブロックＡの２辺を合わせ、主傾斜台を固定した時、傾斜ブロックＢは、傾斜下端線を傾斜線ｊ位置とし、又、傾斜側辺下端を直角線ｋ位置として上昇傾斜して、平面台ブロックＡ上に重なる。又、傾斜ブロックＣは、傾斜下端線を直角線ｋ位置とし、又、傾斜側辺下端を傾斜線ｊ位置として上昇傾斜して、傾斜ブロックＢ上に重なる。傾斜ブロック台Ｂの傾斜角度は、ｘと同角度とする。傾斜ブロック台Ｃの傾斜角度は、ｘの２分の１とする。
【手続補正６】
【補正対象書類名】明細書
【補正対象項目名】０００９
【補正方法】変更
【補正の内容】
【０００９】又、副円盤部面区分点の傾斜線ｊ、ｋに平面台ブロックＤの２辺を合わせ、副傾斜台を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を直角線ｋ位置とし、又、傾斜側辺下端を傾斜線ｊ位置として上昇傾斜して、傾斜ブロックＥ上に重なる。傾斜ブロックＥの傾斜角度は、ｘと同角度とし、傾斜ブロックＦの傾斜角度は、ｘの２分の１とする。
【手続補正７】
【補正対象書類名】明細書
【補正対象項目名】００１０
【補正方法】変更
【補正の内容】
【００１０】主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極・Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、突出形磁石の前磁極面における前突出部位置は、主円盤部においては、区分点側端に、突き出し、副円盤部においては、区分点の反対側端に突きでる。
【手続補正８】
【補正対象書類名】明細書
【補正対象項目名】００１２
【補正方法】変更
【補正の内容】
【００１２】主円盤部の各区分点の前磁極面の磁極は、同一磁極、又は、各区分点毎に、Ｎ・Ｓ磁極を変える配置でも良い。又、  Ｎ・Ｓ磁極をランダムに配置しても良い。又、副円盤部の各区分点対応の前磁極面の磁極は、主円盤部の前磁極面と同一磁極とする。
【手続補正９】
【補正対象書類名】明細書
【補正対象項目名】００１３
【補正方法】変更
【補正の内容】
【００１３】主、副各円盤部の各主軸に、天盤支柱の中空穴を通し、次に、天盤の軸穴を主軸に通してから、天盤支柱両端のフランジ部を主、副各円盤部と、天盤下面にタッピングネジ等で固定する。この各天盤の下部面に連結部を固定し、各枠部で各突出形磁石の上部端は、固定される。連結部の形状は、各々の主、副傾斜台と、ほぼ、同一形状の一体成形構造である。枠部は、平面台ブロックＡ、平面台ブロックＤ部周囲に設ける。
【手続補正１０】
【補正対象書類名】明細書
【補正対象項目名】００１４
【補正方法】変更
【補正の内容】
【００１４】以上の構成で、主円盤回転車と副円盤回転車とする。又、主円盤回転車と副円盤回転車は、装置容器の各軸受に、各主軸を支持し、笠歯車を噛み合わせる。噛み合わせ位置は、主円盤部の区分円周ｇの区分点ｅより、突出形磁石の磁極面巾の２分の１巾ｚを逆回転方向に区分し、その位置をｕとし、ｕを通る中心線に、副円盤部の区分点ｅを通る中心線を、合わせて、笠歯車を噛み合わせる。主円盤回転車の主軸には、装置容器外上部で、ディスクブレーキ装置を付ける。又、装置容器外上部に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し、発電機軸は、クラッチに接続する。又、副回転笠歯車の天盤の上面に、フライホイールを設ける。こうした構造を特徴とする磁力回転発電装置。
【手続補正１１】
【補正対象書類名】明細書
【補正対象項目名】００１８
【補正方法】変更
【補正の内容】
【００１８】主円盤部１ａ面は、区分円周ｇの各区分点ｅより、回転方向に、接線ｆを引く。接線ｆを基準として傾斜角αの傾斜線ｊを区分点より引き、又、この傾斜線ｊに対する直角線ｋを区分点ｅより引く。笠歯車３のピッチ円錐角ｘが１５度の時、傾斜角αは、９０度とする。
【手続補正１２】
【補正対象書類名】明細書
【補正対象項目名】００１９
【補正方法】変更
【補正の内容】
【００１９】副円盤部面２ａは、区分円周ｇの各区分点ｅより、回転方向に、接線ｆを引く。接線ｆを基準として傾斜角βの傾斜線ｊを区分点ｅより引き、又、この傾斜線ｊに対する直角線を区分点より引く。笠歯車のピッチ円錐角ｘが１５度の時、ｘ＝４５度よりより減じた数θは、３０で傾斜角βは、β＝６０＋θよりβ＝６０＋３０＝９０で９０度となる。
【手続補正１３】
【補正対象書類名】明細書
【補正対象項目名】００２１
【補正方法】変更
【補正の内容】
【００２１】円盤部面１ａ区分点の傾斜線ｊ、ｋに、主平面台ブロックＡの２辺を合わせ、主傾斜台を固定した時、傾斜ブロックＢは、傾斜下端線を傾斜線ｊ位置とし、又、傾斜側辺下端を直角線ｋ位置として上昇傾斜して、平面台ブロックＡ上に重なる。又、傾斜ブロックＣは、傾斜下端線を直角線ｋ位置とし、又、傾斜側辺下端を傾斜線ｊ位置として上昇傾斜して、傾斜ブロックＢ上に重なる。傾斜ブロックＢの傾斜角度ｘ１は、ｘと同角度１５度とし、傾斜ブロックＣの傾斜角度ｙは、ｘの２分の１の７．５度とする。
【手続補正１４】
【補正対象書類名】明細書
【補正対象項目名】００２２
【補正方法】変更
【補正の内容】
【００２２】又、副円盤部２ａ区分点の傾斜線ｊ、ｋに平面台ブロックＤの２辺を合わせ、副傾斜台５を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を直角線ｋ位置とし、又、傾斜側辺下端を傾斜線ｊ位置として上昇傾斜して、傾斜ブロックＥ上に重なる。傾斜ブロックＥの傾斜角度ｘ１は、ｘと同角度の１５度とし、傾斜ブロックＦの傾斜角度ｙは、ｘの２分の１の７．５度とする。
【手続補正１５】
【補正対象書類名】明細書
【補正対象項目名】００２４
【補正方法】変更
【補正の内容】
【００２４】図８、９、１０にあるように、突出形磁石６の本体磁石形状は、磁極面間方向の長さｍ寸法は、磁極面巾ｔと同一寸法とする。突出形磁石６のＮ極・Ｓ極磁極面の互いの逆位置端に前突出部６ａ、後突出部６ｂが付く。突出部６ａ、６ｂの巾ａは、磁極面巾の３分の１とし、突出長ｂさは、突出形磁石６の磁極面巾の２分の１とする。本発明に於ては、主円盤部１ａ面と副円盤部２ａ面における主、副各傾斜台４、５上に、突出形磁石６を固定した時、区分点ｅ位置の磁極面を前磁極面と称し、反対側の磁極面を後磁極面と称する。主、副各円盤部１ａ、２ａにおける、突出形磁石６は、共に、前磁極面下端を傾斜線ｊ位置とし、又、磁極面間方向側面下端を直角線ｋ位置として、台面上に固定する。又、突出形磁石６の前磁極面における前突出部６ａ位置は、主円盤部１ａにおいては、区分点ｅ側端に突き出し、副円盤部２ａにおいては、区分点ｅの反対側端に突きでる。
【手続補正１６】
【補正対象書類名】明細書
【補正対象項目名】００２６
【補正方法】変更
【補正の内容】
【００２６】主円盤部１ａの各区分点ｅの前磁極面の磁極は、同一磁極、又は、各区分点毎に、Ｎ・Ｓ磁極を変える配置でも良い。又、Ｎ・Ｓ磁極をランダムに配置しても良い。又、副円盤部２ａの各区分点ｅ対応の前磁極面の磁極は、主円盤部１ａの前磁極面と同一磁極とする。
【手続補正１７】
【補正対象書類名】明細書
【補正対象項目名】００２７
【補正方法】変更
【補正の内容】
【００２７】突出形磁石６上端の固定は、主、副各円盤部の各主軸に、天盤支柱２６の中空穴を通し、次に、天盤８の軸穴を主軸７に通してから、天盤支柱２６両端のフランジ部を主、副各円盤部１ａ、２ａと、天盤８下面にタッピングネジ等で固定する。この各天盤８の下部面に連結部９を固定し、各突出形磁石６の上部端は、連結部９で固定される。主円盤部１ａと副円盤部２ａの連結部９の形状は、図１０にあるように、各々の主、副傾斜台とほぼ、同一形状の一体成形構造である。主円盤部１ａと副円盤部２ａでの枠部は、共に、平面台ブロックＡ、平面台ブロックＤ部周囲に設ける。但し、傾斜している為、多少修正が必要。
【手続補正１８】
【補正対象書類名】明細書
【補正対象項目名】００２８
【補正方法】変更
【補正の内容】
【００２８】以上の構成で、主円盤回転車１と副円盤回転車２とする。又、主円盤回転車１と副円盤回転車２は、装置容器１１の各軸受に、各主軸７を支持し、笠歯車３を噛み合わせる。噛み合わせ位置は、図１、図１４のように、主円盤部の区分円周ｇの区分点ｅより、突出形磁石の磁極面巾の２分の１巾ｚを逆回転方向に区分し、その位置をｕとし、ｕを通る中心線に、副円盤部の区分点ｅを通る中心線を、合わせて、笠歯車を噛み合わせる。主円盤回転車１の主軸７には、装置容器１１外上部で、ディスクブレーキ装置１４を付ける。又、装置容器１１外上部に、基礎取り付け台１６を固定し、その台上に、クラッチ１７を固定する。ディスクブレーキ装置１４を出た主軸７に、軸継手１５を接続し、軸継手１５を出た軸は、クラッチ１７に接続する。基礎取り付け台１６上に、更に、発電機取り付け台１８を固定し、台上に、発電機１９を固定し、発電機軸は、クラッチ１７に接続する。副円盤回転車２の天盤８の上面に、フライホイール２１を設ける。
【手続補正１９】
【補正対象書類名】明細書
【補正対象項目名】００３１
【補正方法】変更
【補正の内容】
【００３１】笠歯車３のピッチ円錐角ｘは、１５度であり、区分円周ｇ２区分数で等区分し、各区分点ｅとする。主円盤部２ａの各区分点より回転方向に、接線ｆを引き、接線ｆを基準として、傾斜角αは９０度で傾斜線ｊを区分点より引き、又この傾斜線ｊに対する直角線ｋを区分点より引き、描く。又、副円盤部２ａの各区分点ｅより、回転方向に、接線ｆを引き、接線ｆを基準として、笠歯車のピッチ円錐角ｘが１５度の時、ｘ＝４５度より減じた数θは、３０で、傾斜角βは、β＝６０＋θ＝６０＋３０＝９０、よりβは９０度で、傾斜線ｊを区分点より引き、又、この傾斜線ｊに対する直角線ｋを区分点ｅより引き、描く。
【手続補正２０】
【補正対象書類名】明細書
【補正対象項目名】００３４
【補正方法】変更
【補正の内容】
【００３４】主円盤部２ａの各区分点ｅより回転方向に、接線ｆを引き、接線ｆを基準として、傾斜角αは、９０度で傾斜線ｊを区分点より引き、又この傾斜線ｊに対する直角線ｋを区分点より引き、描く。又、副円盤部２ａの各区分点ｅより、回転方向に、接線ｆを引き、接線ｆを基準として、笠歯車のピッチ円錐角ｘが３０度の時、ｘ＝４５度より減じた数θは１５で、傾斜角βは、β＝６０＋θ＝６０＋１５＝７５より、βは７５度で傾斜線ｊを区分点ｅより引き、又、この傾斜線ｊに対する直角線ｋを区分点ｅより引く。尚、突出形磁石６は、両側磁極面を磁極面方向巾ｍの５分の１程度の巾とするネオジュウム磁石とし、間の５分の３をフエライト磁石とする。又、前、後突出部６ａ、６ｂもネオジュウム磁石とすれば、磁力は、ほぼ、ネオジュウム磁石並みで安価とする事が出来る。装置構造は、横型も可能とする。こうした構造を特徴とする請求項１記載の磁力回転発電装置。
【手続補正２１】
【補正対象書類名】明細書
【補正対象項目名】００３６
【補正方法】変更
【補正の内容】
【００３６】図１６は、主円盤部１ａにおける、主突出形磁石６（Ａ）の区分点が、共通中心線０−０の最接近点より、中心角で、４５度手前に位置する図である。この時、共通中心線０−０の最接近点より、中心角で、６０度手前位置よりこの位置まで、主円盤部１ａにおける、突出形磁石６（Ａ）の磁極面Ｓ極と、副円盤部２ａにおける、突出形磁石６（Ｃ）前突出部６ａのＮ極と、前磁極面Ｎ極の両方に、吸引力が作用し、突出形磁石６（Ａ）にＰ１の回転力が作用し、又、突出形磁石６（Ｃ）にＰ２の回転力が作用する。Ｐ１、Ｐ２の回転力により、図１７の位置まで回転する。但し、Ｐ２は、共通中心線０−０の最接近点より、中心角で、３０度手前で主突出形磁石６（Ａ）に逆回転力が作用するので消滅する。
【手続補正２２】
【補正対象書類名】明細書
【補正対象項目名】００３７
【補正方法】変更
【補正の内容】
【００３７】図１７は、主円盤部１ａにおける、突出形磁石６（Ａ）の区分点が、共通中心線０−０の最接近点より、中心角で、１５度手前に位置の図である。主円盤部１ａにおける、突出形磁石６（Ａ）の前突出部６ａのＮ極と、副円盤部２ａにおける、突出形磁石６（Ｃ）後突出部６ａのＳ極の吸引力が作用し、突出形磁石６（Ｃ）に回転力Ｐ３作用する。突出形磁石６（Ａ）の前突出部６ａにかかる逆回転力は。突出形磁石６（Ａ）の前突出部６ａＮ極と、突出形磁石６（Ｃ）の前突出部６ｂＮ極との反発力が逆回転力を消去する。Ｐ１の回転力は持続し、突出形磁石６（Ｃ）回転力Ｐ１、Ｐ３により図１８位置まで回転する。但し、Ｐ１は、共通中心線０−０の最接近点位置で、突出形磁石６（Ｃ）吸引力が主軸７方向よりずれるため、逆回転が作用し消滅する。
【手続補正２３】
【補正対象書類名】明細書
【補正対象項目名】００３８
【補正方法】変更
【補正の内容】
【００３８】図１８は、主円盤部１ａにおける、突出形磁石５（Ａ）の区分点が、共通中心線０−０の最接近点より、中心角で、３０度通過した位置の図である。回転力Ｐ３は、突出形磁石６（Ａ）の前突出部６ａＮ極と、突出形磁石６（Ｃ）の前突出部６ｂＮ極との反発力の消去に加え、この位置では、主に、突出形磁石６（Ｃ）の前磁極面Ｎ極との反発力によっても消去を作用する。この位置の時、突出形磁石６（Ｃ）前磁極面Ｎ極の反発力は主軸方向で逆回転力は作用しない。回転力Ｐ３は、持続し、図１９位置まで回転する。
【手続補正２４】
【補正対象書類名】明細書
【補正対象項目名】００３９
【補正方法】変更
【補正の内容】
【００３９】図１９は、主円盤郁１ａにおける、突出形磁石６（Ａ）の区分点が、共通中心線０−０の最接近点より、中心角で、４５度通過位置の図である。Ｐ３は、この位置で消滅する。この位置では、突出形磁石６（Ａ）の後磁極面のＳ極と、突出形磁石６（Ｃ）の後突出部６ａＳ極との反発力で突出形磁石６（Ａ）に回転力Ｐ４が作用する。又、図示は、省略したが、共通中心線０−０の最接近点より、中心角で、６０度通過位置の時、突出形磁石６（Ａ）の突出部６ａのＳ極と、突出形磁石６（Ｃ）の後突出部６ａＳ極との反発力で突出形磁石６（Ａ）に回転力Ｐ５と、突出形磁石６（Ｃ）に回転力Ｐ６が作用する。回転力、Ｐ４、Ｐ５、Ｐ６は、共に、主円盤部１ａにおける突出形磁石６（Ａ）の区分点が、０−０の最接近点より、中心角で９０度通過した位置まで作用する。これが主円盤部１ａにおける突出形磁石６（Ａ）の１区分点間の１サイクルの作動であり、これにより、次の区分点の突出形磁石６（Ｂ）は、図１５の始めの位置となり、突出形磁石６（Ｄ）と対向して１区分のサイクルを行なう。終えると、又、突出形磁石６（Ａ）となり、次々と持続するため半永久的回転となる。上記原因で回転を得る為、エネルギー保存法則とは、無関係である。回転原理は、１５度以外のピッチ円錐角ｘでも同じである。
【手続補正２５】
【補正対象書類名】図面
【補正対象項目名】全図
【補正方法】変更
【補正の内容】
【図１】
2012161231.tif 000022
【図２】
2012161231.tif 000023
【図３】
2012161231.tif 000024
【図４】
2012161231.tif 000025
【図５】
2012161231.tif 000026
【図６】
2012161231.tif 000027
【図７】
2012161231.tif 000028
【図８】
2012161231.tif 000029
【図９】
2012161231.tif 000030
【図１０】
2012161231.tif 000031
【図１１】
2012161231.tif 000032
【図１２】
2012161231.tif 000033
【図１３】
2012161231.tif 000034
【図１４】
2012161231.tif 000035
【図１５】
2012161231.tif 000036
【図１６】
2012161231.tif 000037
【図１７】
2012161231.tif 000038
【図１８】
2012161231.tif 000039
【図１９】
2012161231.tif 000040
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
主円盤回転車と副円盤回転車は、同一直径の主、副各円盤部と、その円盤面中心部の下部をボス部とし、各円盤面中心に開く軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、５度又は、２．５度の間隔で、４５度から２．５度まで選択する事ができる。主、副各円盤部面外周より少し内側に、同一直径の区分円周ｇを描き、主に、２区分、３区分、４区分より選択して、区分円周ｇを等区分し各区分点とする。又、磁力を隣区分に悪影響を与えない磁極面巾とすれば、４区分以上の何区分でも等区分する事ができる。主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。ｘは５度、又は２．５度間隔で、ｘを選択した時、４５度から２．５度まで、傾斜角αは、全て、９０度とする。又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。ピッチ円錐角ｘが４５度の時、傾斜角βは、４５度とし、５度、又は、２．５度間隔で、４５度よりθ度減じたｘを選択した時、その傾斜角βは、ｘが４５度時のβ＝４５にθを加えた角度とする。数式で示すと、ｘ＝４５−θとする時、β＝４５＋θ度となる。主傾斜台と副傾斜台は、主円盤部面と副円盤部面の各区分点に描いた傾斜線ｊ上と直角線ｋ上に、底面２辺位置として、各々、主、副円盤部面に固定される。主、副各傾斜台の形状は、一体成形であり、分解できないが、分解できるとして説明すると、主、副傾斜台は、各々高さ部分を構成する、平面ブロック台の上に、傾斜部分を構成する傾斜台ブロック部分が重なった形状で、傾斜ブロック部分は、各々、２個の傾斜ブロックが重なった形状で、一体成形した構造である。主、副各傾斜台の平面台ブロックは、平面形が矩形であり、高さは約、突出形磁石の磁極面巾にｓｉｎｘを乗じた積の１．２倍程度の高さとする。（ｘ度は、選択したピッチ円錐角ｘの角度）主円盤部面区分点の傾斜線ｊ、ｋに平面台ブロックＡの２辺を合わせ、主傾斜台を固定した時、傾斜ブロックＢは、傾斜下端線を傾斜線ｊ位置とし、又、傾斜側辺下端を直角線ｋ位置として上昇傾斜して、平面台ブロックＡ上に重なる。又、傾斜ブロックＣは、傾斜下端線を直角線ｋ位置とし、又、傾斜側辺下端を傾斜線ｊ位置として上昇傾斜して、傾斜ブロックＢ上に重なる。
傾斜ブロックＢの傾斜角度は、選択したピッチ円錐角ｘと同角度とする。傾斜ブロックＣの傾斜角度は、選択したピッチ円錐角ｘの２分の１とする。又、副円盤部面区分点の傾斜線ｊ、ｋに平面台ブロックＤの２辺を合わせ、副傾斜台を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を直角線ｋ位置とし、又、傾斜側辺下端を傾斜線ｊ位置として上昇傾斜して、傾斜ブロックＥ上に重なる。傾斜ブロックＥの傾斜角度は、選択したピッチ円錐角ｘと同角度とし、傾斜ブロックＦの傾斜角度も、選択したピッチ円錐角ｘと同角度とする。主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極、Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、主円盤部と副円盤部における突出形磁石の前磁極面の前突出部は、共に、区分点の反対側端に突きでる。突出形磁石の高さは、各区分の選択時、区分円周ｇにおける、２区分間円弧の２分の１程度とする。突出形磁石を３〜４段重ねる時、厚さ２〜３ｍｍ程度で、突出形磁石の下面と同じ形の接続用鉄板を突出形磁石間に敷き、接着剤で固定する。主円盤部の各区分点の前磁極面の磁極は、同一磁極、又は、各区分点毎に、Ｎ、Ｓ磁極を変える配置でも良い。又、Ｎ、Ｓ磁極をランダムに配置しても良い。又、副円盤部の各区分点対応の前磁極面の磁極は、主円盤部の前磁極面の反対磁極とする。主、副各円盤部の各主軸に、天盤支柱の中空穴を通し、天盤支柱両端のフランジ部を主、副各円盤部と、天盤下面にタッピングネジ等で固定する。各天盤の下部面に連結部を固定し、各枠部で各突出形磁石の上部端は、固定される。連結部の形状は、各々の主、副傾斜台と、ほぼ、同一形状の一体成形構造である。以上の構成で、主円盤回転車と副円盤回転車とする。又、主円盤回転車と副円盤回転車は、装置容器の各軸受により、各主軸を支持し、笠歯車を噛み合わせる。噛み合わせ位置は、主円盤部区分円周ｇの区分点ｅより、逆回転方向に、磁極面巾ｔの２分の１巾ｚを区分しｕ点とする。ｕ点を通る中心線に、副円盤部の区分点ｅを通る中心線を合わせて、笠歯車３を噛み合わせる。主円盤回転車の主軸には、装置容器外上部で、ディスクブレーキ装置を付ける。又、装置容器外上部に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し、発電機軸は、クラッチに接続する。又、副円盤回転車の天盤の上面に、フライホイールを設ける。こうした構造を特徴の磁力回転発電装置。
【請求項２】
突出形磁石を超電導電磁石とする時、各天盤上に超電導電磁石のヘリウムガスの再液化用の冷凍機を設ける。冷凍機の電力は、装置容器外から供給するために、主軸に円筒形電通接触面設け、ブラシ保持器を装置容器側の軸受保持部分に付ける。冷凍機の性能が、遠心力により、影響を与える時は、発電機とクラッチの間に、変速機を設けて主、副各円盤回転車の回転を下げる。こうした構造の請求項１記載の磁力回転発電装置。
【手続補正２】
【補正対象書類名】明細書
【補正対象項目名】０００４
【補正方法】変更
【補正の内容】
【０００４】主円盤回転車と副円盤回転車は、同一直径の主、副各円盤部と、その円盤面中心部の下部をボス部とし、各円盤面中心に開く軸穴に主軸を通し、ボルト等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角ｘは、５度又は、２．５度の間隔で、４５度から２．５度まで選択する事ができる。各円盤部面外周より少し内側に、同一直径の区分円周ｇを描き、主に、２区分、３区分、４区分より選択して、区分円周ｇを等区分し各区分点とする。又、磁力を隣区分に悪影響を与えない磁極面巾とすれば、４区分以上の何区分でも等区分する事ができる。
【手続補正３】
【補正対象書類名】明細書
【補正対象項目名】０００５
【補正方法】変更
【補正の内容】
【０００５】主円盤部における区分円周ｇの各区分点より、回転方向に、接線ｆを引き、接線ｆを基準として傾斜角αの傾斜線ｊを区分点より引く。又、この傾斜線ｊに対する直角線ｋを区分点より引く。ｘは４５度から２．５度まで、２．５度間隔、又は５度間隔、又は任意の角度を選択した時、傾斜角αは、全て、９０度とする。
【手続補正４】
【補正対象書類名】明細書
【補正対象項目名】０００６
【補正方法】変更
【補正の内容】
【０００６】又、副円盤部における区分円周ｇの各区分点より、逆回転方向に、接線ｆを引き、接線ｆを基準として傾斜角βの傾斜線ｊを区分点より引き、又、この傾斜線ｊに対する直角線ｋを区分点より引く。ピッチ円錐角ｘが４５度の時、傾斜角βは、４５度とし、５度、又は、２．５度間隔で、４５度よりθ度減じたをｘと選択した時、その傾斜角βは、ｘが４５度時のβ＝４５にθを加えた角度とする。数式で示すと、ｘ＝４５−θとする時、β＝４５＋θ度となる。
【手続補正５】
【補正対象書類名】明細書
【補正対象項目名】０００９
【補正方法】変更
【補正の内容】
【０００９】又、副円盤部面区分点の傾斜線ｊ、ｋに平面台ブロックＤの２辺を合わせ、副傾斜台を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を直角線ｋ位置とし、又、傾斜側辺下端を傾斜線ｊ位置として上昇傾斜して、傾斜ブロックＥ上に重なる。傾斜ブロックＥの傾斜角度は、ピッチ円錐角ｘと同角度とし、傾斜ブロックＦの傾斜角度も、ピッチ円錐角ｘと同角度とする。
【手続補正６】
【補正対象書類名】明細書
【補正対象項目名】００１０
【補正方法】変更
【補正の内容】
【００１０】主、副各円盤部の各傾斜台の台面上に、突出形磁石を固定する。突出形磁石の本体磁石形状は、磁極面を矩形とし、突出部を含む磁極面巾は、（磁力が１テスラ程度までの時）区分数を２区分の時、区分円周ｇ半径の約２分の１から４分の１程度までより、選択できる。突出形磁石の磁極面間方向の長さ寸法は、磁極面巾と同一寸法とする。突出形磁石は、Ｎ極、Ｓ極磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、主円盤部と副円盤部における突出形磁石の前磁極面の前突出部は、共に、区分点の反対側端に突きでる。
【手続補正７】
【補正対象書類名】明細書
【補正対象項目名】００１１
【補正方法】変更
【補正の内容】
【００１１】突出形磁石の高さは、各区分の選択時、区分円周ｇにおける、２区分間円弧の２分の１程度とする。突出形磁石を３〜４段重ねる時、厚さ２〜３ｍｍ程度で、突出形磁石の下面と同じ形の接続用鉄板を突出形磁石間に敷き、接着剤で固定する。
【手続補正８】
【補正対象書類名】明細書
【補正対象項目名】００１２
【補正方法】変更
【補正の内容】
【００１２】主円盤部の各区分点の前磁極面の磁極は、同一磁極、又は、各区分点毎に、Ｎ、Ｓ磁極を変える配置でも良い。又、  Ｎ、Ｓ磁極をランダムに配置しても良い。又、副円盤部の各区分点対応の前磁極面の磁極は、主円盤部の前磁極面の反対磁極とする。
【手続補正９】
【補正対象書類名】明細書
【補正対象項目名】００２２
【補正方法】変更
【補正の内容】
【００２２】又、副円盤部２ａ区分点の傾斜線ｊ、ｋに平面台ブロックＤの２辺を合わせ、副傾斜台５を固定した時、傾斜ブロックＥは、傾斜下端線を傾斜線ｊ位置とし、又、傾斜側辺下端を直角線ｋ位置として上昇傾斜して、平面台ブロックＤ上に重なる。又、傾斜ブロックＦは、傾斜下端線を直角線ｋ位置とし、又、傾斜側辺下端を傾斜線ｊ位置として上昇傾斜して、傾斜ブロックＥ上に重なる。傾斜ブロックＥと傾斜ブロックＦの傾斜角度ｘ１は、ｘと同角度の１５度とする。
【手続補正１０】
【補正対象書類名】明細書
【補正対象項目名】００２４
【補正方法】変更
【補正の内容】
【００２４】図８、９、１０、１１にあるように、突出形磁石６の本体磁石形状は、磁極面間方向の長さｍ寸法は、磁極面巾ｔと同一寸法とする。突出形磁石６のＮ極、Ｓ極磁極面の互いの逆位置端に前突出部６ａ、後突出部６ｂが付く。突出部６ａ、６ｂの巾ａは、磁極面巾の３分の１とし、突出長ｂさは、突出形磁石６の磁極面巾の２分の１とする。本発明に於ては、主円盤部１ａ面と副円盤部２ａ面における主、副各傾斜台４、５上に、突出形磁石６を固定した時、区分点ｅ位置の磁極面を前磁極面と称し、反対側の磁極面を後磁極面と称する。主、１ａ、と副各円盤部２ａにおける、突出形磁石６は、共に、前磁極面下端を傾斜線ｊ位置とし、又、磁極面間方向側面下端を直角線ｋ位置として、台面上に固定する。又、主円盤部１ａと副円盤部２ａにおける突出形磁石の前磁極面６ａの前突出部６ａは、共に、区分点の反対側端に突きでる。
【手続補正１１】
【補正対象書類名】明細書
【補正対象項目名】００２６
【補正方法】変更
【補正の内容】
【００２６】主円盤部１ａの各区分点ｅの前磁極面の磁極は、同一磁極、又は、各区分点毎に、Ｎ、Ｓ磁極を変える配置でも良い。又、Ｎ、Ｓ磁極をランダムに配置しても良い。又、副円盤部２ａの各区分点ｅ対応の前磁極面の磁極は、主円盤部１ａの前磁極面の反対磁極とする。
【手続補正１２】
【補正対象書類名】明細書
【補正対象項目名】００３１
【補正方法】変更
【補正の内容】
【００３１】笠歯車３のピッチ円錐角ｘは、１５度であり、区分円周ｇ２区分数で等区分し、各区分点ｅとする。主円盤部２ａの各区分点より回転方向に、接線ｆを引き、接線ｆを基準として、傾斜角αは９０度で傾斜線ｊを区分点より引き、又この傾斜線ｊに対する直角線ｋを区分点より引き、描く。又、副円盤部２ａの各区分点ｅより、逆回転方向に、接線ｆを引き、接線ｆを基準として、傾斜角βを６０度で、傾斜線ｊを区分点より引く。又この傾斜線ｊに対する直角線ｋを区分点より引き、描く。尚、傾斜角βの求め方は、θ＝４５−ｘ＝４５−１５＝３０傾斜角βは、β＝４５＋θ＝４５＋３０＝７５、よりβは７５度となる。
【手続補正１３】
【補正対象書類名】明細書
【補正対象項目名】００３４
【補正方法】変更
【補正の内容】
【００３４】主円盤部２ａの各区分点ｅより回転方向に、接線ｆを引き、接線ｆを基準として、傾斜角αは、９０度で傾斜線ｊを区分点より引き、又この傾斜線ｊに対する直角線ｋを区分点より引き、描く。又、副円盤部２ａの各区分点ｅより、逆回転方向に、接線ｆを引き、接線ｆを基準として、傾斜角βを６０度で、傾斜線ｊを区分点より引く。又この傾斜線ｊに対する直角線ｋを区分点より引き、描く。尚、傾斜角βの求め方は、θ＝４５−ｘ＝４５−１５＝１５傾斜角βは、β＝４５＋θ＝４５＋１５＝６０、よりβは６０度となる。より超小型にする時、ピッチ円錐角ｘはより小さくし、より大型にする時、ピッチ円錐角ｘはなるべく大きくとる。こうした構造を特徴とする請求項１記載の磁力回転発電装置。
【手続補正１４】
【補正対象書類名】明細書
【補正対象項目名】００３６
【補正方法】変更
【補正の内容】
【００３６】図１６は、共通中心線０−０の最接近点より、中心角で、４５度手前に位置する図である。この時、主突出形磁石６（Ａ）の前磁極面Ｎ極と、副円盤部２ａにおける、突出形磁石６（Ｃ）後磁極面Ｓ極に吸引力が作用し、突出形磁石６（Ａ）に回転力Ｐ１と突出形磁石６（Ｃ）に回転力Ｐ２が作用する。これらの作用は、中心線０−０の最接近点より、中心角で、６０度手前位置より作動用する。回転力Ｐ１、Ｐ２と回転力Ｐ３、における各々の逆回転力は、主突出形磁石６（Ａ）前突出部６ａと突出形磁石６（Ｃ）後突出部６ｂの磁極面が向き合う方向で常に、ｘ形に交差する為、各互いの反発力により、各々の吸引力による逆回転力を消去する。従って、回転力Ｐ１Ｐ２、により、図１７の位置まで回転する。
【手続補正１５】
【補正対象書類名】明細書
【補正対象項目名】００３７
【補正方法】変更
【補正の内容】
【００３７】図１７は、共通中心線０−０の最接近点より、中心角で１５度手前に位置の図である。回転力Ｐ１は、この位置で消滅する。この位置では、主突出形磁石６（Ａ）の後磁極面Ｓ極と、副円盤部２ａにおける、突出形磁石６（Ｃ）後磁極面Ｎ極に吸引力が作用し、突出形磁石６（Ａ）に、回転力Ｐ３が作用する。又、回転力Ｐ２は、図１６の理由により、持続し、回転力Ｐ２、Ｐ３により図１８位置まで回転する。
【手続補正１６】
【補正対象書類名】明細書
【補正対象項目名】００３８
【補正方法】変更
【補正の内容】
【００３８】図１８は、共通中心線０−０の最接近点より、中心角で、３０度通過した位置の図である。回転力Ｐ３は、この位置で消滅する。又、この位置より、突出形磁石６（Ａ）の後突出部６ｂのＳ極と、突出形磁石６（Ｃ）の表磁極面Ｓ極との反発力で、突出形磁石６（Ｃ）に回転力Ｐ４が作用する。突出形磁石６（Ａ）にかかる反発力は、主軸方向である為、逆回転力は、生じない。回転力Ｐ２、Ｐ４、により図１９位置まで回転する。
【手続補正１７】
【補正対象書類名】明細書
【補正対象項目名】００３９
【補正方法】変更
【補正の内容】
【００３９】図１９は、共通中心線０−０の最接近点より、中心角で、４５度通過位置の図である。回転力Ｐ２この位置で消滅する。又、この位置では、突出形磁石６（Ａ）の後突出部６ｂのＳ極と、突出形磁石６（Ｃ）の前突出部６ｂＳ極との反発力で、突出形磁石６（Ａ）に回転力Ｐ５と、突出形磁石６（Ｃ）に回転力Ｐ６が作用する。回転力Ｐ４、Ｐ５、Ｐ８、は、図１８の回転力Ｐ４時も同じであるが、突出形磁石６（Ａ）と突出形磁石６（Ｃ）は、ｘ形のタスキ形に交差する為、突出形磁石６（Ａ）の上部から下部に連続して回転力を作動する。この位置では、つまり回転すべき方向位置来た時、反発力、又は、吸引力が作用する。例えば、図１８の時、ブレーキ力となる突出形磁石６（Ｃ）の後突出部６ｂＮ極は、突出形磁石６（Ａ）の後突出部６Ｓ極は、逆方向に向きで、しかも遠く離れていて、ブレーキ力は弱い。従って、本発明が自力的に回転を得る事が、できるのである。回転力Ｐ４、Ｐ５、Ｐ８、は、共に、０−０の最接近点より、中心角で９０度通過した位置まで作用する。この回転力により、次の区分点の突出形磁石６（Ｂ）は、図１５の始めの位置となる。以上が主円盤部１ａにおける突出形磁石６（Ａ）の１区分点間の１サイクルの作動であり、次に、突出形磁石６（Ｂ）のサイクルとなり、次、次に、半永久的回転となる。尚、この回転原理は、１５度以外のピッチ円錐角ｘでも、全て、同じである。
【手続補正１８】
【補正対象書類名】図面
【補正対象項目名】全図
【補正方法】変更
【補正の内容】
【図１】
2012161231.tif 000041
【図２】
2012161231.tif 000042
【図３】
2012161231.tif 000043
【図４】
2012161231.tif 000044
【図５】
2012161231.tif 000045
【図６】
2012161231.tif 000046
【図７】
2012161231.tif 000047
【図８】
2012161231.tif 000048
【図９】
2012161231.tif 000049
【図１０】
2012161231.tif 000050
【図１１】
2012161231.tif 000051
【図１２】
2012161231.tif 000052
【図１３】
2012161231.tif 000053
【図１４】
2012161231.tif 000054
【図１５】
2012161231.tif 000055
【図１６】
2012161231.tif 000056
【図１７】
2012161231.tif 000057
【図１８】
2012161231.tif 000058
【図１９】
2012161231.tif 000059